(57)【要約】【課題】防火材の使用必要性を満たす、断熱又は防音あるいはその両方のための構造体を提供する。【解決手段】建物部分と被担持構造部材との間の断熱又は防音あるいはその両方のための構造体であって、これらの２つの構造部材の間に配置される絶縁体２と、この絶縁体を貫く補強筋３と、少なくとも１つの防火材４，５とを含み、防火材は梱包部材を備えている。【選択図】図１
2007056667.tif 000002
【特許請求の範囲】
【請求項１】
２つの構造部材の間の断熱又は防音あるいはその両方のための構造体であって、前記２つの構造部材の間に配置される絶縁体（２，１４）と、この絶縁体を貫く補強筋（３，１５）と、少なくとも１つの防火材（４，５，４ａ，４ｂ，４ｃ，４ｄ，１６，１６ａ，１６ｂ，１６ｃ，１６ｄ）とを含むものにおいて、
前記防火材は梱包部材（７，９，１０）を備えており、前記防火材の中身が前記梱包部材（７，９，１０）によって包み込まれることを特徴とする断熱又は防音あるいはその両方のための構造体。
【請求項２】
前記梱包部材（７，９，１０）は前記防火材（４，５，４ａ，４ｂ，４ｃ，１６，１６ａ〜１６ｄ）の中身を全面的に被覆していることを特徴とする請求項１に記載の断熱又は防音あるいはその両方のための構造体。
【請求項３】
前記梱包部材（７，９，１０）は前記防火材（４，５，４ａ〜４ｄ，１６，１６ａ〜１６ｄ）の中身を隙間なく被覆していることを特徴とする請求項１又は２に記載の断熱又は防音あるいはその両方のための構造体。
【請求項４】
前記梱包部材（７，９，１０）は膜材または板材から成ることを特徴とする請求項１から３のいずれか一項に記載の断熱又は防音あるいはその両方のための構造体。
【請求項５】
前記梱包部材（７，９，１０）はプラスチックまたは金属から成ることを特徴とする請求項１から３のいずれか一項に記載の断熱又は防音あるいはその両方のための構造体。
【請求項６】
前記梱包部材（７，９，１０）は接着または溶接によって密閉されることを特徴とする請求項１から５のいずれか一項に記載の断熱又は防音あるいはその両方のための構造体。
【請求項７】
前記梱包部材（１０）は丸断面又は多角形断面の筒状に形成されて、所定の長さ寸法に裁断され、終端キャップ（１１，１２，１７ａ，１７ｂ，１７ｃ，１７ｄ）で封止可能であることを特徴とする請求項１から６のいずれか一項に記載の断熱又は防音あるいはその両方のための構造体。
【請求項８】
前記梱包部材を備えた防火材（４，５，４ａ〜４ｄ，１６ａ，１６ｃ）は、前記絶縁体（２，１４）の上側又は下側あるいはその両方に配置されて、この絶縁体の長手方向と平行に絶縁体の上側面１４ａ又は下側面１４ｃあるいはその両方を覆って延びていることを特徴とする請求項１から７のいずれか一項に記載の断熱又は防音あるいはその両方のための構造体。
【請求項９】
前記防火材（１６）は、前記絶縁体の上側面（１４ａ）と下側面（１４ｃ）ならびに左右の外側垂直面（１４ｂ，１４ｄ）とに配置されて全体として１つの周回包囲防火材を形成する４つの個別材（１６ａ〜１６ｄ）から成ることを特徴とする請求項１から７のいずれか一項に記載の断熱又は防音あるいはその両方のための構造体。
【請求項１０】
前記防火材（４，５，４ａ〜４ｄ）はマット状または板状の材料から成る心材（６）を有することを特徴とする請求項１から９のいずれか一項に記載の断熱又は防音あるいはその両方のための構造体。
【請求項１１】
前記防火材（４，５，４ａ〜４ｄ）は前記梱包部材によって包囲される防火剤充填物質を有し、この充填物質は流し込みが可能なように形成されていることを特徴とする請求項１から１０のいずれか一項に記載の断熱又は防音あるいはその両方のための構造体。
【発明の詳細な説明】
【技術分野】
【０００１】
本発明は、２つの構造部材の間、特に建物部分と被担持構造部材との間の断熱又は防音あるいはその両方のための構造体であって、前記２つの構造部材の間に配置される絶縁体と、この絶縁体を貫く補強筋と、少なくとも１つの防火材とを含むものに関する。
【背景技術】
【０００２】
断熱又は防音あるいはその両方のための従来構造の１つは、継目内部の補強筋を包囲する絶縁体を備え、この絶縁体は、熱や火炎の作用から補強筋を保護して火災後にもこの建物の構造力学的存続を保障し得るように、ロックウールから成る防火スリーブで外周が被覆されている（例えば、特許文献１参照）。
【０００３】
【特許文献１】ドイツ特許第２９６０５２０９号明細書
【発明の開示】
【発明が解決しようとする課題】
【０００４】
防火材の使用は好適であることが実証されてきているだけではなく、この間に法令によってもその使用が定められてきており、今や、特にこうした防火材に関する長年の経験を裏づけとして、防火スリーブを備えた、断熱又は防音あるいはその両方のための構造体を発展改良し、さらに最適化する必要性が生じており、本発明の課題はそのような防火材の要求仕様を満たす、断熱又は防音あるいはその両方のための構造体を提供することである。
【課題を解決するための手段】
【０００５】
上記課題を解決するため、本発明による、２つの構造部材の間の断熱又は防音あるいはその両方のための構造体は、前記２つの構造部材の間に配置される絶縁体と、この絶縁体を貫く補強筋と、少なくとも１つの防火材を含み、前記防火材は梱包部材を備え、前記防火材の中身が前記梱包部材によって包み込まれている。本発明による構造体は、特に建物部分と被担持構造部材との間の断熱又は防音あるいはその両方に適している。つまり、本発明による断熱又は防音あるいはその両方のための構造体では、防火材に備えられた梱包部材は、好適には防火材、詳しくは防火材の中身を全面的に隙間なく密閉包囲して、防火材の防火特性を損ない得るような気象要因ならびにその他の老化作用から防火材を保護する。つまりこの梱包部材は、本来の防火材のための耐候手段または老化防止手段として機能する。
【０００６】
上記梱包部材は好適には膜材または板材から成り、特にプラスチックまたは金属から製造されて、接着、溶接または類似の接合方法で密閉される。この場合、梱包部材を丸形断面又は多角形断面（一般には四角形断面）を有する筒状体に形成し、所定の長さで裁断して終端キャップで封止可能とし、こうすることで防火材と梱包部材とを現場で加工し得るようにすることも可能である。
【０００７】
梱包部材を備えた防火材は絶縁体の上側および／または下側に配置されて、絶縁体の長手方向と平行に延びて絶縁体の上側面および／または下側面の全体を被覆するのが好適であり、これによって、双方の構造部材の間に残された継目は上方および／または下方に対して隔絶され、こうして継目を貫通する補強筋は適切に保護されることができる。加えてさらに、絶縁体の側面にも防火材を配置し、こうしてたとえば上下面に配された防火材と一体となった周回包囲防火材を形成することができる。
【０００８】
防火材自体に関していえば、これは通例の方法でマット状または板状に形成されたロックウールから成っている。ただしさらに、梱包部材を使用することにより、防火材をたとえば流し込み可能な小さな粒子（例えば防火剤充填物質）で構成し、梱包部材による成形作用を通じて絶縁体に適合した所要の形状となる防火材を作り出すようにすることも可能である。また、たとえば膨張剤を他の断熱・防音物質と組合わせて梱包部材に注入することができる。このようにして作り出された防火材は、まったく新しい可能性を実現することができる。
以下、図面を参照し、本発明の一連の実施形態を説明することによって本発明のその他の特徴ならびに利点を明らかにする。
【発明を実施するための最良の形態】
【０００９】
図１の（ａ）は、基本的に平行六面体（例えば直方体）の形状を有する絶縁体２と、この絶縁体２を貫いて基本的に水平な面内を走る一連の補強筋３とを有する断熱又は防音あるいはその両方のための構造体１を示している。絶縁体２はその上側面ならびに下側面が、それぞれ絶縁体２と同じ縦横長さを有する防火材４、５で被覆されている。この点についてはたとえば図１の（ａ）においてＺで示した箇所の詳細を示す図１の（ｂ）からよく理解することができる。
【００１０】
防火材４，５に関して考えられる一連の実施形態は図２〜４に詳細に示されており、図２の（ａ）は防火材心材（防火材の中身）としてのロックウールマット６と、チューブ状に形成されてロックウールマットの両側終端箇所で溶接されて密封されるプラスチック被膜として形成されている梱包部材７とから成る防火材４ａを示している。この溶接接合部８は、図２の（ａ）に示されている透視斜視図、図２の（ｂ）に示されている側面図ならびに図２の（ｃ）に示されている正面図からその様子を知ることができるように、シール接合の形態である。
【００１１】
図３には、ロックウールマット６がプラスチックカプセルの形の梱包部材９によって周囲から隔離される別な実施形態の防火材４ｂが示されている。このプラスチックカプセルは図３の（ｂ）に示した平面図から理解できるような展開状態となる形態を有しており、図３の（ａ）の斜視図に示した平行六面体（板状の直方体）の形のプラスチックカプセルは互いに隣接する辺を溶接接合して作られる。
【００１２】
図４は、さらに別な実施態様の防火材４ｃ，４ｄを示したものである。この形態でもロックウールマット６はプラスチックカプセル１０で包囲されている。ここで図４の（ａ）と（ｃ）とは、プラスチックカプセル１０の開放端に被され、同所に接着または溶接によって固定される外嵌めシールキャップ１１を有する１つの実施態様のそれぞれ垂直断面図と正面図とを示している。図４の（ｂ）と（ｄ）とは、内嵌めシールキャップ１２で封止されたプラスチックカプセル１０を有する類似の実施形態のそれぞれ垂直断面図と正面図とを示しており、この実施形態においてシールキャップ１２は、ロックウールマット６に適合された長方形の断面形状を有する角柱形のプラスチックカプセル１０に固定されている。
【００１３】
最後に図５には、直方体の形の絶縁体１４と、補強筋１５と、防火材１６とを有する、断熱又は防音あるいはその両方のための構造体１３が側面図として示されている。この防火材１６の特徴は、ロックウール心材とこれを被覆する梱包部材としての（防火材４ｃおよび４ｄと同様に）プラスチックカプセルとからなる４つの個別防火材１６ａ，１６ｂ，１６ｃ，１６ｄから構成されていることであり、これらの個別防火材１６ａ，１６ｂ，１６ｃ，１６ｄは、それぞれ、絶縁体１４の上側面１４ａと左側面１４ｂと下側面１４ｃならびに右側面１４ｄとに面状に密接配置されている。これら４つの個別防火材は絶縁体１４のそれぞれのコーナーに配置された総計４個のコーナー継手１７ａ，１７ｂ，１７ｃ，１７ｄによって結合されて、絶縁体１４を（隣接するコンクリート構造部材と連結される前方側と後方側とを除いて）全面的に包囲して、断熱および／または防音用の部材をすべての継目方向で火炎と熱から防護する周回包囲防火材を作り出している。
【００１４】
総じて本発明により、シンプルな手段で周囲環境の影響から保護された、耐久性ならびに耐候性を有する防火材を備えた、断熱又は防音あるいはその両方のための構造体もしくは構造が提供される。この種の防火材は、たとえば階段、階段踊り場などの防音部材に応用し得ると同様に、たとえば建物から突き出した外側部分の断熱部材に応用することができ、あるいはまた、継目や特に継目を貫いて延びる補強筋が火災から保護されなければならないようなその他の応用例に適用することもできる。
【００１５】
尚、特許請求の範囲の項に図面との対照を便利にするために符号を記すが、該記入により本発明は添付図面の構造に限定されるものではない。
【図面の簡単な説明】
【００１６】
【図１】本発明による断熱又は防音あるいはその両方のための構造体の一例を示し、（ａ）は斜視図で、（ｂ）は部分拡大図
【図２】本発明による梱包部材を備えた防火材の１つの実施形態を示す、斜視図（ａ）、側面図（ｂ）ならびに正面図（ｃ）
【図３】別な実施形態の梱包部材を備えた防火材を示しており、この防火材の梱包部材の斜視図（ａ）と展開図（ｂ）
【図４】さらに異なる２種の構造を有する梱包部材を備えた防火材の断面図（ａ）、（ｂ）ならびに正面図（ｃ）、（ｄ）
【図５】周回包囲防火材の構造を示す側面図
【符号の説明】
【００１７】
１，１３  断熱又は防音あるいはその両方のための構造体
２，１４  絶縁体
３，１５  補強筋
４，５，４ａ，４ｂ，４ｃ，４ｄ，１６，１６ａ，１６ｂ，１６ｃ，１６ｄ  防火材
７，９，１０  梱包部材
【図１】
2007056667.tif 000003
【図２】
2007056667.tif 000004
【図３】
2007056667.tif 000005
【図４】
2007056667.tif 000006
【図５】
2007056667.tif 000007